(57)【特許請求の範囲】
【請求項１】
ホーンマウスと、メガホンボディと、ハンドルとからなり、上記ホーンマウスにスピーカ部を収納し、上記ホーンマウスとメガホンボディの間に防水パッキングを挿入して防水構造で結合してメガホンボディ内部に気密空間を形成し、上記スピーカ部の磁気回路を希土類磁石で構成し、上記ホーンマウス、メガホンボディ、ハンドルを比重が１．０３から１．１５の耐候性樹脂で構成し、メガホンの総体積に対するメガホンの総質量の比がほぼ１に等しいか、１より小さくすることにより、メガホンの比重が水の比重にほぼ等しいか、それよりも小さくし、メガホンが水に浮くか、あるいは水面直下、水面付近に漂うことを特徴とするメガホン。
【請求項２】
メガホンボディを上にして、ホーンマウスを下にして、水に浮くか、あるいは水面直下、水面付近に漂うことを特徴とする請求項１に記載のメガホン。
【発明の詳細な説明】
【発明の属する技術分野】
【０００１】
本発明は、メガホンに関し、特に体積に比してその質量を小さくしたメガホンに関する。
【従来の技術】
【０００２】
メガホンは、マイク、アンプ、スピーカ及び電池を筐体内部に一体的に組合わせて構成され、特にスピーカは永久磁石、磁気回路など強磁性体を主要部分に使用して構成され、メガホンの大部分を占めているため、その質量は大きい。また、電池やアンプ、トランスなど比重が１より大きい構成部品も使用しており、全体として重量感のある商品である。
【発明が解決しようとする課題】
【０００３】
メガホンを野外で、あるいは行動中に使用しているときに、不注意で落とし、時としてメガホンを水中に落とすことがある。この場合にメガホンの重量が大きいと、メガホンは水中に沈み、拾い上げにくい、探しにくい、あるいはメガホンの中に水が入って絶縁不良を起こし、使用できなくなるなど問題があった。本発明は上記のような問題に鑑み、水に浮くような、あるいは水面直下、水面付近に漂うような軽いメガホンを提供するものである。
【課題を解決するための手段】
【０００４】
本発明の請求項１のメガホンは、ホーンマウスと、メガホンボディと、ハンドルとからなり、上記ホーンマウスにスピーカ部を収納し、上記ホーンマウスとメガホンボディの間に防水パッキングを挿入して防水構造で結合してメガホンボディ内部に気密空間を形成し、上記スピーカ部の磁気回路を希土類磁石で構成し、上記ホーンマウス、メガホンボディ、ハンドルを比重が１．０３から１．１５の耐候性樹脂で構成し、メガホンの総体積に対するメガホンの総質量の比がほぼ１に等しいか、１より小さくすることにより、メガホンの比重が水の比重にほぼ等しいか、それよりも小さくし、メガホンが水に浮くか、あるいは水面直下、水面付近に漂うことを特徴とする。
この特徴のために、メガホンボディ内部に気密空間が形成されるので浮力が増し、水中にすぐに沈まないか、水面直下あるいは水面付近に漂うか水に浮くことができる。好ましくは上記ハンドルにボリュームの回転つまみの一部、スイッチノブの一部が臨出する箇所以外を密閉してハンドル内にも気密空間を形成する。
【０００７】
また、本発明の請求項２のメガホンは、請求項１のメガホンにおいて、メガホンボディを上にして、ホーンマウスを下にして、水に浮くか、あるいは水面直下、水面付近に漂うことを特徴とする。
この特徴のため、ホーンマウスから水が浸入することが少なく、メガホンの中に水が入って絶縁不良を起こし難くなる。
【０００８】
本発明のメガホンを以下に説明する。本発明の一実施例のメガホンは、図１に外観を示すようにホーンマウス１と、メガホンボディ２と、ハンドル３を組み合わせて構成され、メガホンボディ２の後方部分に電池ケース４を収納する構造になっている。
【０００９】
本発明のメガホンの内部詳細を図２、図４に示すように、ホーンマウス１は、内部にリング状永久磁石１１、ヨーク１２、プレートＡ１３ａ、プレートＢ１３ｂよりなる磁気回路を収納し、プレートＡ１３ａとプレートＢ１３ｂとの間に形成される磁気ギャップにボイスコイルが挿入される。ボイスコイルの上端はドーム状振動板１４に結合され、ボイスコイルに入力された音声信号が磁気回路とともに作用して振動板１４の振動に変換される。
【００１０】
振動板の前方には、ホーンマウス１の底面１５とともに一体成型されたスロート１６が備えられ、スロート１６の開口部分にレフレクタ１７、１８が取り付けられ、ホーンマウス１の先端開口部より音声が放出される。
スロート１６の表面にはメガホンが水に沈んだときスロートと振動板の間に水が侵入しないように防水コンパウンドを塗布する。ここで上記永久磁石１１として希土類磁石が使用され、従来のフェライトマグネットを使用した場合に比べて質量が１５０グラム程度軽量化された。また、ホーンマウス１、メガホンボディ２、ハンドル３、レフレクタ１７，１８は、比重が１．０３から１．１５の軽くて耐侯性のある樹脂が使用された。
【００１１】
レフレクタ１８はホーンマウス１にネジ１９によりネジ止めされるとともに、ネジ１９をメガホンボディ２のボス２０に締めこむことにより、ホーンマウス１とメガホンボディ２を結合している。メガホンボディ２は底部に電池ケース収納部を有する有底円筒形状に形成されていて、その開口部に、ホーンマウス１とメガホンボディ２を結合する際、図４に示すようにホーンマウス１とメガホンボディ２の間にゴム、柔軟性樹脂よりなる防水パッキング６を挟み込んで蓋をするようにして、ホーンマウス１とメガホンボディ２の間隙を充填し、メガホンボディ２の内部を気密及び防水構造にする。
【００１２】
図７にメガホンボディの後方図を示すように、メガホンボディ２の後上方部にマイクユニット２１を配置する。マイクユニット２１はメインマイク２２とサブマイク２３からなり、メインマイク２２とサブマイク２３は緩衝作用と防水作用のある例えばゴム等の薄い膜を介してマイクおさえに収納され、メガホンボディ２後方のリブ２５に嵌め込むようにしてメガホンの水平方向に並べて取り付ける。
メインマイク２２はメガホンの中心線を通る垂直線上に配置され、メインマイク前方のメガホンボディ２に小さい開口２６が形成されて外部の音響を入力する。メインマイク２２はゴム等の薄い膜で覆われ防水効果を得るとともに、開口２６に対向することにより、音響が十分に入力される。さらにゴム等の薄い膜は緩衝作用があるためメガホン本体の振動が入力されるのを防止し、Ｓ／Ｎの高い入力信号を得ることができる。
サブマイク２３はメガホンのハウリング防止用として用いられる。そのためサブマイク前方のメガホンボディ２には開口が形成されず外部の音響が入力されない構造とされている。このためサブマイクの前方に開口がなく防水は完全に行なえる。
【００１３】
メガホンはメガホン本体より出た音がメガホンの周囲を回りこんでマイクに入力する音響振動と、振動板のバックプレッシャがメガホン内部を伝わってマイクに入力する音響振動と、メガホン本体自身の振動がマイクに入力する振動によってハウリングを起こす。この中、サブマイクはスピーカ振動板のバックプレッシャがメガホン内部の細い隙間を伝わって入力する振動と、メガホン本体自身の振動がマイクに入力する振動をメインマイクと同相に受ける。これを電気信号に変換してメインマイクからの電気信号と逆位相で増幅器に入力してミキシングすることによりハウリング防止を行なう。
【００１４】
メガホンボディ後方上部に１０Ｗ級アンプを構成するＬＳＩ、ＩＣ、抵抗、コンデンサ等の電気部品よりなる回路２７を搭載するプリント配線基板２８を取り付ける。プリント配線基板２８はメガホンボディ後方のリブと基板おさえ２９に挟むようにして取り付けられる。基板おさえ２９には導電性でバネ性のある材料、例えばリン青銅板よりなるプラス側接続端子３０とマイナス側接続端子(図示しない)が備えられ、電池ケース収納後壁３５ｂにネジ止めされる。
【００１５】
メガホンボディ２の下部には、ハンドルに取り付けられる電源スイッチ、ボリュームと接続するための接続線を通す穴３２が形成されゴムブッシュ３２ｂが嵌められる。
メガホンボディ２の中央部にメガホンの軸方向に電池ケース収納部３５を形成する。この電池ケース収納部３５はメガホンボディ２と連続的に一体形成された円筒形状の電池ケース収納側壁３５ａと底板を形成する電池ケース収納後壁３５ｂとからなる。電池ケース収納後壁３５ｂに小さい開口３１が形成され、プラス側接続端子３０とマイナス側接続端子の先端が開口より臨出している。プラス側接続端子３０が電池ケース収納部の中心に配置され、マイナス側接続端子が中心位置より離れて平行に配置されている。この電池ケース収納部３５の前方開口内周に雌ネジ３６を形成し嵌め合わせ構造の一方を構成する。
【００１６】
電池ケース４は、図６に示すように、前記電池ケース収納部３５の蓋となる蓋体４１の外周部分に雄ネジ４２を形成し、上記電池ケース収納部３５の開口部分に形成した雌ネジ３６にネジ込まれる。蓋体の表面側に、図３に示すように中心より三方向に分割した指穴４１ａが３個形成され、雄ネジと雌ネジのネジ込みあるいは取り外しのために使用される。電池ケース４は蓋体４１、電池ケース上４３、電池ケース下４４から構成され、電池ケース上４３は中心筒部４３ａとこの中心筒部の一方の端部に形成された電池端子部４３ｂとからなり、電池端子部４３ｂに一方の電池端子が備えられる。電池ケース下４４は電池収納時の倒れ止め用として、電池長の１／５程度の電池収納壁４４ａを備え、中心筒部４３ａにネジ止めされ、他方の電池端子が備えられる。電池端子板４５は導電性の高い金属材料よりなり、一つの電池のプラス電極と隣接する次の電池のマイナス電極を接続するため途中個所でねじられ、中心筒部４３ａの内側中空を通して配置される。電池端子板４５の一方は電池端子部４３ｂに巻き付けるようにして固定され、電池端子を構成する。電池端子板４５の他方は中心筒部４３ａと電池ケース下４４の中心突部４４ｂに挟まれて固定され、その先端は電池のマイナス電極に接触するように折り曲げられ電池端子を構成する。電池端子板４５が隣接する電池のプラス電極とマイナス電極を接続することにより電池ケースに挿入される６個の電池は全て同方向に挿入して直列接続される。
【００１７】
図５に示すように、ハンドル３の前方に引きがね５１が取り付けられる。電源スイッチはマイクロスイッチ５２により構成され、ＶＲＳＷケース上５３のリブ５３ａに嵌め込むようにして取り付けられる。ボリューム５４はＶＲＳＷケース上５３を挟むようにしてＶＲナットにより取り付けられる。このようにしてマイクロスイッチ５２とボリューム５４を取り付けた後、ゴムカバー５６を挟んでＶＲＳＷケース下５７とともにハンドルの段部３ａ、３ｂにネジ止めされる。ボリューム５４の回転軸に防水パッキング５５を挿入してつまみ５８が取り付けられ、つまみ５８の周囲の一部がハンドル後方の穴５９から突出して操作できるようにしている。引きがね５１をハンドル３に取付け、ＶＲＳＷケース上５３にマイクロスイッチ５２、ボリューム５４を取付け、つまみ５８を取付けた後、つまみ５８の一部をハンドル後方の穴から突出させてゴムカバー５６、ＶＲＳＷケース下５７とともにハンドルの取付けボス３ａ、３ｂにＶＲＳＷケース上５３の４個のネジ穴にネジを挿入してネジ止めする。マイクロスイッチ５２とボリューム５４の配線はメガホンボディ２の穴３２を通して回路２７に接続される。
【００１８】
図３に示すように、ハンドルの上方両側にスライド溝が形成されており、このスライド溝にメガホンボディ２の下部に形成した突部３３（図７）をはめ、ハンドル３をメガホンボディ２の後方までスライドさせてメガホンボディ２とハンドル３を一体化する。その後、メガホンボディ２前方にホーンマウス１をネジ１９でネジ止めして取り付けることにより、ハンドルの抜け止めをすると同時に全体を一体化し防水構造に組み立てる。
ハンドル３は引きがね５１、つまみ５８が臨出する箇所５９は開口しているが、その他の箇所は密閉されており、かつマイクロスイッチ５２とボリューム５４を収納するだけで、大部分は空間であり内部空間は気密に保たれている。
【００１９】
本発明のメガホンは以上のような構成であるので、メガホンを水中に落とした場合に、最初は落下速度のため水中に沈むが、メガホンの総体積と総質量の比が等しいか、それより大きく、またはメガホンの総比重が水の比重にほぼ等しいかそれより小さく、またホーンマウス１やレフレクタ１７，１８の内部に水が充満していないため、メガホンは水中を上昇する。しかしホーンマウス１の前方は大きく開口しているので、図８のような状態で水は徐々にホーンマウス１やレフレクタ１７，１８の内部に充満し、ホーンマウス１やレフレクタ１７，１８は水中の方に沈んでいく。その後、本発明のメガホンは、ホーンマウス１とメガホンボディ２の間に防水パッキング６を挿入して防水構造で結合してメガホンボディ内部に気密空間を形成しているので、図９に示すようにメガホンボディ２を上にして、ホーンマウス１を下にして、水に浮くか、あるいは水面直下、水面付近に漂う。
【発明の効果】
【００２０】
本発明はホーンマウスと、メガホンボディと、ハンドルとからなり、上記ホーンマウスにスピーカ部を収納し、上記ホーンマウスとメガホンボディの間に防水パッキングを挿入して防水構造で結合してメガホンボディ内部に気密空間を形成し、メガホンの総体積とメガホンの総質量の比が等しいかそれより大きくし、防水型構造にしたので、水に浮くメガホンを得ることができる。また本発明はホーンマウスと、メガホンボディと、ハンドルとからなり、上記ホーンマウスにスピーカ部を収納し、上記ホーンマウスとメガホンボディの間に防水パッキングを挿入して防水構造で結合してメガホンボディ内部に気密空間を形成し、メガホンの総比重が水の比重にほぼ等しいかそれより小さくし、防水型構造にしたので、水に浮くメガホンを得ることができる。また本発明はホーンマウスと、メガホンボディと、ハンドルとからなり、上記ホーンマウスにスピーカ部を収納し、上記ホーンマウスとメガホンボディの間に防水パッキングを挿入して防水構造で結合してメガホンボディ内部に気密空間を形成し、上記スピーカ部の磁気回路を希土類磁石で構成し、上記ホーンマウス、アンプケース、ハンドル、電池カバー、マイクカバーを比重が１．０３から１．１５で、耐侯性のある樹脂で構成したので、メガホンの質量を小さくでき、水中にすぐに沈まないか、水面直下あるいは水面付近に漂うか水に浮くメガホンを得ることができる。
【図面の簡単な説明】
【００２１】
【図１】本発明のメガホンの外観を示す側面図を示す。
【図２】本発明の実施例に示すメガホンの断面図を示す。
【図３】メガホンの後面図を示す。
【図４】ホーンマウスおよびメガホンボディの分解断面図を示す。
【図５】ハンドル部分の分解断面図を示す。
【図６】本発明を構成する電池ケースの分解断面図を示す。
【図７】メガホンボディの後方図を示す。
【図８】メガホンが水中で浮いている状態を説明する図を示す。
【図９】メガホンが水中で浮いている状態を説明する図を示す。
【符号の説明】
【００２２】
１ ホーンマウス
２ メガホンボディ
３ ハンドル
４ 電池ケース
６ 防水パッキング
１１ 永久磁石
１７ レフレクタ
１８ レフレクタ
３５ 電池ケース収納部
５４ ボリューム
５８ つまみ
５１ 引きがね
【図１】
0004589593.tif 000002
【図２】
0004589593.tif 000003
【図３】
0004589593.tif 000004
【図４】
0004589593.tif 000005
【図５】
0004589593.tif 000006
【図６】
0004589593.tif 000007
【図７】
0004589593.tif 000008
【図８】
0004589593.tif 000009
【図９】
0004589593.tif 000010